(57)【要約】  【課題】  軽量化を図ったショベル・スコップを提供する。  【解決手段】  把柄２及び握り連結体をそれぞれアルミ材にて形成し、これらをアルミ溶接にて接合する。一方、把柄２の先端開口部にはこの開口部を閉塞する中実状のキャップ材６を圧入する。そして、キャップ材６を圧入した把柄２の先端部を匙体５の差込部５ａに嵌め入れ、一本のリベット７にてキャップ材６を貫通させるようにして把柄２と匙体５とを締結固定する。このように、材質が異なるために溶接接合ができないアルミ製の把柄２と鋼製の匙体５とを容易にかつ安価に接合できると共に、その接合部も十分な強度が確保されたアルミ材を使用したショベルが実現でき、軽量化が図れる。【選択図】  図２
2006214224.tif 000002
【特許請求の範囲】
【請求項１】
熱処理を施した鋼製の匙体と、該匙体を取り付ける棒状の把柄と、該把柄に取り付ける握り連結体及び握りとより構成されるショベル・スコップにおいて、前記把柄及び握り連結体をそれぞれアルミ材にて形成し、把柄及び握り連結体をアルミ溶接にて接合すると共に、アルミ管から成る把柄の先端開口部には該開口部を閉塞する中実状のキャップ材を圧入し、該キャップ材を圧入した把柄の先端部を匙体の差込部に嵌め入れ、締結具にて前記キャップ材を貫通させるようにして把柄と匙体とを締結固定したことを特徴とするショベル・スコップ。
【請求項２】
前記キャップ材は、中実状の木材、樹脂、金属の何れかから成ることを特徴とする請求項１記載のショベル・スコップ。
【請求項３】
前記匙体の差込部にキャップ材を圧入した把柄の先端部を嵌め入れた後、匙体の差込部の裏面側の隙間を溶接して固定するようにしたことを特徴とする請求項１または２記載のショベル・スコップ。
【発明の詳細な説明】
【技術分野】
【０００１】
本発明は、土木作業や園芸作業などに使用するショベル・スコップに関する。
【背景技術】
【０００２】
土木作業などに用いられるショベル・スコップは、把柄が木製や鋼管製にて製作されているのが一般的である。そして、鋼管を把柄として使用するときには、把柄と匙体との接合部分に内挿管を挿入すると共に、把柄と匙体の突き合わせ部分を溶接により接合している（特許文献１）。
【特許文献１】実開昭５５−２１３８２号
【発明の開示】
【発明が解決しようとする課題】
【０００３】
しかしながら、従来の木製や鋼管製の把柄を有するショベル・スコップでは、それなりの重量があり、作業性を高めるために軽量化の要望が強くなってきている。
【０００４】
本発明は上記の点に鑑み、軽量化を図ったショベル・スコップを提供することを課題とする。
【課題を解決するための手段】
【０００５】
本発明者は、上記の課題を解決するために、把柄に従来用いられることのなかったアルミ材を使用すれば強度を保ちながら軽量化を図れることに着目すると共に、鋼製の匙部とアルミ材の把柄の溶接が不可能ではあるがアルミ材の成形性の良さを利用すれば鋼製の匙部とアルミ材の把柄の接合が可能であると考えた。即ち、本発明の請求１記載のショベル・スコップにあっては、熱処理を施した鋼製の匙体と、該匙体を取り付ける棒状の把柄と、該把柄に取り付ける握り連結体及び握りとより構成されるショベル・スコップにおいて、前記把柄及び握り連結体をそれぞれアルミ材にて形成し、把柄及び握り連結体をアルミ溶接にて接合すると共に、アルミ管から成る把柄の先端開口部には該開口部を閉塞する中実状のキャップ材を圧入し、該キャップ材を圧入した把柄の先端部を匙体の差込部に嵌め入れ、締結具にて前記キャップ材を貫通させるようにして把柄と匙体とを締結固定したことを特徴としている。
【０００６】
また、請求項２記載のショベル・スコップにあっては、前記キャップ材は、中実状の木材、樹脂、金属の何れかから成ることを特徴としている。
【０００７】
また、請求項３記載のショベル・スコップにあっては、前記匙体の差込部にキャップ材を圧入した把柄の先端部を嵌め入れた後、匙体の差込部の裏面側の隙間を溶接して固定するようにしたことを特徴としている。
【発明の効果】
【０００８】
本発明のショベル・スコップによれば、熱処理を施した鋼製の匙体と、該匙体を取り付ける棒状の把柄と、該把柄に取り付ける握り連結体及び握りとより構成されるショベル・スコップにおいて、前記把柄及び握り連結体をそれぞれアルミ材にて形成し、把柄及び握り連結体をアルミ溶接にて接合すると共に、アルミ管から成る把柄の先端開口部には該開口部を閉塞する中実状の木材、樹脂、金属の何れかから成るキャップ材を圧入し、該キャップ材を圧入した把柄の先端部を匙体の差込部に嵌め入れ、締結具にて前記キャップ材を貫通させるようにして把柄と匙体とを締結固定したので、アルミ材使用により従来の木製や鋼管製把柄のショベル・スコップよりも軽量化が図れ、取り扱い易いものとすることができる。また、材質が異なるために溶接接合ができないアルミ製の把柄と鋼製の匙体を、締結具にて内部のキャップ材を貫通させるようにして強固に締結でき、十分な強度を有するアルミ材使用のショベル・スコップの実現を可能とする。
【０００９】
また、前記匙体の差込部にキャップ材を圧入した把柄の先端部を嵌め入れた後、匙体の差込部の裏面側の隙間を溶接して固定するようにしたので、差込部の拡開を防止でき、がたつきもなくより強固に接合することができる。
【発明を実施するための最良の形態】
【００１０】
本発明のショベル・スコップによれば、把柄、握り連結体を軽量な材質であるアルミ材にて形成する。なお、握りはアルミ材または木製とする。そして、把柄と握り連結体と握りをアルミ溶接にて一体的に接合する。なお、握りが木製であるときには握り連結体に釘等にて固着する。また、把柄の先端開口部には該開口部を閉塞して把柄内部への土砂などの侵入を阻止するためのキャップ材を圧入する。ここで、キャップ材は、木材、樹脂、金属の何れかから成るものであって、特に従来より把柄と匙体との接続部に強度確保用として内挿される内挿管に通常採用されているような中空状のものではなく、中身まで詰まった中実状のものを採用している。そして、前記キャップ材を圧入した把柄の先端部を匙体の差込部に嵌め入れた後、リベットにて把柄と匙体とを締結固定して接合する。
【００１１】
このとき、キャップ材が従来の内挿管などと同様に中空状のものであれば、キャップ材の左右側からそれぞれ挿し込んだ二本のブラインドリベットなどにて左右別々に固定しなければならないため、加工が面倒でコストが高くつく上、強度もあまり高くできないのであるが、本発明においてはキャップ材に中実状のものを採用しているため、一本のリベットにて内部のキャップ材を貫通させるようにして把柄と匙体とを一度に締結固定することが可能となり、加工が容易でコストを抑えることができると共に、一本のリベットにて匙体の差込部を左右から押さえ付けるようにして締結固定するため、匙体の差込部の拡開などといった変形や破損を防ぐことができ、十分な強度を確保することができる。
【００１２】
また、匙体の差込部にキャップ材を圧入した把柄の先端部を嵌め入れた後、匙体の差込部の裏面側に開口している隙間を溶接して固定する。これによって、匙体の差込部が拡開するといった変形や破損を確実に防ぐことができ、より耐久性の高いショベルを提供することができる。
【実施例】
【００１３】
以下、本発明の実施例を図面に基づいて説明する。
【００１４】
図中の１は、本発明のショベルであって、把柄２、握り連結体３、握り４、及び匙体５から成り、前記把柄２、握り連結体３、及び握り４はアルミ材によって形成している一方、匙体５は耐摩耗のために熱処理した鋼を使用している。なお、握り４は、アルミ材でも良いが、寒冷地での使用を考慮すると手ざわりの良い木製でも良い。
【００１５】
前記把柄２は、アルミ材から成るパイプ形状のもので、把柄２の先端開口部には、図２に示すように、該開口部を閉塞して把柄２内部への土砂など異物の侵入を阻止するためのキャップ材６を圧入している。前記キャップ材６は、木材、高分子樹脂などの各種樹脂、鉄などの各種金属の何れかから成るものであると共に、中空状のものではなく、中身まで詰まった中実状のものを採用している。
【００１６】
また、前記キャップ材６には、締結具であるリベット７を貫通可能なように透孔８を穿設していると共に、匙体５の差込部５ａの左右両側にも前記リベット７を挿通させるための透孔９をそれぞれ穿設している。なお、前記リベット７に代えて、例えばネジやボルトなどの締結具を採用することもできる。
【００１７】
そして、上記の把柄２、握り連結体３、握り４、及び匙体５を一体的に接合してショベル１を形成するときには、先ず、同じアルミ材から形成した握り連結体３と握り４とをアルミ溶接にて接合する。なお、握り４が木製であれば、握り連結体３に釘などにて固定する。次に、この一体となった握り部分を、同じくアルミ材から形成した把柄２のキャップ材６を圧入していない側の端部に嵌め入れてアルミ溶接にて一体的に接合する。
【００１８】
続いて、把柄２のキャップ材６を圧入している側の端部を匙体５の差込部５ａへ嵌入した後、一本のリベット７を匙体５の差込部５ａとキャップ材６にそれぞれ穿設した透孔８、９を介して貫通させて締結固定する。このとき、キャップ材６は中実状のものであるため、上記のように一本のリベット７で一度に締結固定することが可能となり、加工が容易でコストを抑えることができると共に、一本のリベット７にて匙体５の差込部５ａを左右から押さえ付けるようにして締結固定するため、匙体５の差込部５ａの拡開などの変形や破損を未然に防ぐことができ、過酷な使用にも十分耐え得るだけの耐久性を確保することができる。
【００１９】
このように、把柄２、握り連結体３、及び握り４はそれぞれアルミ溶接にて一体に接合すると共に、材質の異なる鋼製の匙体５は、キャップ材６を圧入した把柄２の先端部を匙体５の差込部５ａに嵌め入れると共に、それらを一本のリベット７にて一体的に接合するようにしたので、十分な強度を有するアルミ材使用のショベル・スコップを実現することができる。
【００２０】
また、図３は匙体５の差込部５ａにキャップ材６を圧入した把柄２先端部を嵌め入れた後、匙体５の差込部５ａの裏面側に開口している隙間１０を溶接して固定した実施例を示すものであって、こうすることによって、前記リベット７による締結力に加えて、匙体５の差込部５ａが把柄２の先端部を抱持して固定する接合力を大幅に上げることができ、例えばショベル作業時に接合部に強い力が加わったとしても匙体５の差込部５ａが拡開するような変形や破損を確実に防いで、耐久性のより一層の向上が期待できる。
【図面の簡単な説明】
【００２１】
【図１】本発明に係るショベルの、（ａ）正面図、（ｂ）背面図である。
【図２】図１の正面図の一部を切り欠いた要部拡大図である。
【図３】匙体の差込部の裏面側の隙間を溶接した状態を示す、要部を拡大した背面図である。
【符号の説明】
【００２２】
１…ショベル                  ２…把柄
３…握り連結体                ４…握り
５…匙体                      ５ａ…差込部
６…キャップ材                ７…リベット（締結具）
８、９…透孔                  １０…隙間
【図１】
2006214224.tif 000003
【図２】
2006214224.tif 000004
【図３】
2006214224.tif 000005